(57)【要約】可撓性表示装置（６０）は、可撓性表示画面（６２）、回転軸（６４）、リセット機構（６５）、および位置決め機構（６７）を含んでもよい。可撓性表示画面（６２）は、回転軸（６４）に巻き付けられている。リセット機構（６５）は回転軸（６４）に接続されていてもよい。リセット機構（６５）は、回転軸（６４）を駆動して、可撓性表示画面（６２）を回転させ、展開するように動作可能であってもよい。位置決め機構（６７）は、展開した可撓性表示画面（６２）を位置決めするように構成されてもよく、リセット機構（６５）は、回転軸（６４）を駆動して、反対方向に回転させるようにさらに動作可能であってもよく、その結果、展開状態の可撓性表示画面（６２）を回転軸（６４）に巻き付けてもよい。【選択図】図１
2021525400.tif 000002
【特許請求の範囲】
【請求項１】
可撓性表示画面（６２）と、
回転軸（６４）であって、前記可撓性表示画面（６２）が前記回転軸（６４）に巻き付けられている、回転軸（６４）と、
前記回転軸（６４）に接続され、前記回転軸（６４）を駆動して、前記可撓性表示画面（６２）を回転させ、展開するように動作可能なリセット機構（６５）と、
展開した前記可撓性表示画面（６２）を位置決めし、前記回転軸（６４）を駆動して、反対方向に回転させるように構成され、その結果、展開状態の前記可撓性表示画面（６２）を前記回転軸（６４）に巻き付ける位置決め機構（６７）と、
を備える、可撓性表示装置（６０）。
【請求項２】
前記可撓性表示画面（６２）には、少なくとも１つの支持ストラップ（６２４）が設けられ、前記少なくとも１つの支持ストラップ（６２４）は、前記可撓性表示画面（６２）を支持するように構成され、前記可撓性表示画面（６２）と一緒に前記回転軸（６４）に巻き付けられるか、または展開され、前記位置決め機構（６７）は、前記少なくとも１つの支持ストラップ（６２４）を位置決めして、前記可撓性表示画面（６２）を展開状態にするように構成される、請求項１に記載の可撓性表示装置。
【請求項３】
前記少なくとも１つの支持ストラップ（６２４）は、弾性材料からなり、前記回転軸（６４）に巻き付けられると、前記少なくとも１つの支持ストラップ（６２４）の断面は、平面形状になり、展開した後に、前記少なくとも１つの支持ストラップ（６２４）の断面は、円弧形状になる、請求項２に記載の可撓性表示装置。
【請求項４】
前記少なくとも１つの支持ストラップ（６２４）は、前記可撓性表示画面（６２）の端部の一方に配置され、前記少なくとも１つの支持ストラップ（６２４）は、前記可撓性表示画面（６２）の前記一方の端部に沿って延在する、請求項２に記載の可撓性表示装置。
【請求項５】
前記少なくとも１つの支持ストラップ（６２４）には、可撓性薄膜（６２６）がスリーブ状に付けられ、前記可撓性薄膜（６２６）には、前記可撓性表示画面（６２）が取り付けられる、請求項２に記載の可撓性表示装置。
【請求項６】
前記位置決め機構（６７）は、装着フレーム（６７２）と、前記装着フレーム（６７２）に回転可能に接続された回転ドラム（６７４）と、前記回転ドラム（６７４）と前記装着フレーム（６７２）との間に接続された弾性部材（６７６）と、前記回転ドラム（６７４）から突出し、前記回転ドラム（６７４）の軸線に沿って環状に離間して配列された複数のストッパ（６７４２）とを備え、前記少なくとも１つの支持ストラップ（６２４）には、前記ストッパ（６７４２）のうちの１つに保持される固定骨位置が設けられ、展開された前記可撓性表示画面（６２）を位置決めする、請求項２に記載の可撓性表示装置。
【請求項７】
前記装着フレーム（６７２）は、前記回転ドラム（６７４）が配置される装着空間（６７２１）を画定し、前記回転軸（６４）から離れた前記回転ドラム（６７４）の端部には、カム（６７４３）が設けられ、複数の前記ストッパ（６７４２）が前記カム（６７４３）から離れた前記回転ドラム（６７４）の端部に配置されて、前記可撓性表示画面（６２）を引っ張って、展開し、前記固定骨位置は、前記複数の前記ストッパ（６７４２）の上をスキップして前記カム（６７４３）を押し付け、その結果、前記回転ドラム（６７４）が前記可撓性表示画面（６２）の展開方向に沿って移動し、その軸線に沿って回転し、前記弾性部材（６７６）が弾性的に圧縮され、前記可撓性表示画面（６２）の引張力が解放されると、前記弾性部材（６７６）が弾性的にリセットされて前記回転ドラム（６７４）を駆動し、その結果、前記ストッパ（６７４２）の１つが前記固定骨位置に保持される、請求項６に記載の可撓性表示装置。
【請求項８】
前記回転軸（６４）から離れて面する前記カムの端面には、前記回転ドラム（６７４）の前記軸線に沿って前端ギアが設けられ、前記装着フレーム（６７２）には、前記前端ギア（６７４４）に対向する第一の配向ベベルが設けられ、前記前端ギアは複数の歯を備え、そのそれぞれには前記第一の配向ベベルに対応する案内面が設けられ、前記第一の配向ベベルは、前記回転ドラム（６７４）が前記第一の配向ベベルに向かって移動すると、前記前端ギア（６７４４）の対応する案内面をスライド可能に押し付けて、前記回転ドラム（６７４）を回転させる、請求項７に記載の可撓性表示装置。
【請求項９】
前記装着フレーム（６７２）は、前記回転ドラム（６７４）の前記軸線に平行な前記装着空間（６７２１）の内面に案内スロットを画定し、前記回転ドラム（６７４）は、前記案内スロット内にスライド可能に収容され、前記前端ギア（６７４４）に対向する前記案内スロットの端部には、前記第一の配向ベベルが配置される第一の突出ブロック（６７２４）が設けられ、前記第一の突出ブロック（６７２４）は、前記案内スロットに向かって突出する、請求項８に記載の可撓性表示装置。
【請求項１０】
前記回転軸（６４）に対向する前記回転ドラム（６７４）の端面には、前記回転ドラム（６７４）の前記軸線に沿って後端ギア（６７４７）が設けられ、前記装着フレーム（６７２）には、前記後端ギア（６７４７）に対向する第二の配向ベベルが設けられ、前記後端ギア（６７４８）は複数の歯（６７４８）を備え、そのそれぞれには前記第二の配向ベベルに対応する案内面が設けられ、前記第二の配向ベベルは、前記弾性部材（６７６）が弾性的にリセットされ、前記回転ドラム（６７４）が駆動され、前記第二の配向ベベルに向かって移動すると、前記後端ギア（６７４７）の対応する案内面をスライド可能に押し付けて、前記回転ドラム（６７４）を回転させ、請求項７に記載の可撓性表示装置。
【請求項１１】
前記装着フレーム（６７２）は、前記回転ドラム（６７４）の前記軸線に平行な前記装着空間（６７２１）の内面で案内スロットを画定し、前記回転ドラム（６７４）は、前記案内スロット内にスライド可能に収容され、前記後端ギア（６７４７）に対向する前記案内スロットの端部には、前記第二の配向ベベルが配置される第二の突出ブロック（６７２６）が設けられ、前記第二の突出ブロック（６７２６）は、前記案内スロットに向かって突出する、請求項１０に記載の可撓性表示装置。
【請求項１２】
前記位置決め機構（６７）は、前記回転ドラム（６７４）がスリーブ状に付けられた接続軸（６７８）をさらに備え、前記接続軸（６７８）の２つの端部は、前記装着フレームの前記装着空間（６７２１）の２つの端部に固定され、前記弾性部材（６７６）は、前記接続軸（６７８）上にスリーブ状に付けられたバネである、請求項７に記載の可撓性表示装置。
【請求項１３】
前記リセット機構（６５）は、回転軸リセット部材（６５１）と位置決め部材（６５３）とを備え、前記回転軸リセット部材（６５１）は、前記位置決め部材（６５３）と前記回転軸（６４）との間に接続されている、請求項１に記載の可撓性表示装置。
【請求項１４】
前記位置決め部材（６５３）に対向する前記回転軸（６４）の端部は、回転穴（６４２）を画定し、
前記位置決め部材（６５３）は、前記回転穴（６４２）を通って延びる接続軸（６７８）を備え、前記回転軸リセット部材（６５１）は、前記回転穴（６４２）内に収容され、前記回転軸（６４）と前記接続軸（６７８）との間に接続され、前記回転軸リセット部材（６５１）がロールアップバネであり、前記ロールアップバネの第一の端部は前記接続軸（６７８）に接続され、前記ロールアップバネの第二の端部は前記回転軸（６４）に接続される、請求項１３に記載の可撓性表示装置。
【請求項１５】
ハウジング（２０）と、前記ハウジング（２０）内に配置されたメインボード（４０）とを備える携帯型電子機器（１００）であって、前記携帯型電子機器（１００）は請求項１〜１４のいずれか一項に記載の可撓性表示装置（６０）をさらに備え、前記可撓性表示装置（６０）が前記ハウジング（２０）内に装着され、前記可撓性表示画面（６２）が前記メインボード（４０）に電気的に接続される、携帯型電子機器（１００）。
【発明の詳細な説明】
【技術分野】
【０００１】
本開示は、電子機器の分野に関し、特に、携帯型電子機器およびその可撓性表示装置に関する。
【背景技術】
【０００２】
可撓性表示画面は、可撓性、低消費電力、小型および携帯性などの利点により、携帯型電子機器にますます適用されるようになっている。現在の可撓性表示画面は、通常、折畳み可能または折曲げ可能な方法で携帯型電子機器上に設けられ、それによって、携帯型電子機器の表示画面のサイズがある程度大きくなる。しかしながら、現在の可撓性表示画面は、依然として、電子機器の大画面および携帯性に対するユーザの要求を満足することができない。
【発明の概要】
【発明が解決しようとする課題】
【０００３】
一態様では、本開示のいくつかの実施形態では、可撓性表示装置が提供される。可撓性表示装置は、可撓性表示画面、回転軸、リセット機構および位置決め機構を含んでもよい。可撓性表示画面は回転軸に巻き付けられており、リセット機構は回転軸に接続されており、リセット機構は回転軸を駆動して、可撓性表示画面を回転させて展開するように動作可能であり、位置決め機構は、展開した可撓性表示画面を位置決めするように構成され、リセット機構は、さらに、回転軸を駆動して、反対方向に回転させるように動作可能であり、その結果、展開状態の可撓性表示画面を回転軸に巻き付ける。
【０００４】
本開示は、ハウジングと、ハウジング内に配置されたメインボードとを備える携帯型電子機器を提供し、この携帯型電子機器は、可撓性表示装置をさらに備え、可撓性表示装置は、ハウジング内に装着され、可撓性表示画面は、メインボードに電気的に接続される。
【０００５】
本開示により提供される携帯型電子機器の可撓性表示画面は、回転軸に巻き付けることができる。大型画面を使用する必要がある場合、可撓性表示画面は展開され、位置決め機構は、展開した可撓性表示画面を位置決めして、ユーザが大型画面を使用するのを容易にする。大型画面を使用する必要がない場合、リセット機構は、回転軸を逆回転させて、その結果、可撓性表示画面を再び回転軸に巻き付けるようにし、これによって、可撓性表示画面を容易に受け入れることができ、より少ない空間を占有し、したがって、ユーザが容易に運ぶことができる。
【０００６】
本出願において開示される発明のうち、技術的な解決策をより明確に示すために、実施の形態において必要な図面を簡単に説明すれば、以下のとおりである。明らかに、以下の説明における図面は、本開示のいくつかの実施形態であり、これらの図面によれば、当業者は、いかなる創造的な作業もなしに、他の図面をさらに得ることができる。
【図面の簡単な説明】
【０００７】
【図１】本発明の一実施形態による携帯型電子機器の斜視図である。
【図２】図１の携帯型電子機器を展開した可撓性表示画面の斜視図である。
【図３】図２の携帯型電子機器の分解図である。
【図４】図３の携帯型電子機器の別の視野角の分解図である。
【図５】本開示による携帯型電子機器の可撓性表示画面、支持ストラップ、および回転軸の構造図である。
【図６】可撓性表示画面を有しない、図５の部分拡大図である。
【図７】図６の支持ストラップに可撓性薄膜をスリーブ状に付けた後の構造図である。
【図８】図３のＶＩＩＩの拡大図である。
【図９】本開示による可撓性表示装置の位置決め機構の斜視図である。
【図１０】図９の分解図である。
【図１１】図１０の別の視野角図の構造図である。
【図１２】図１２Ａ〜１２Ｆは、可撓性表示装置の位置決め機構が、本開示による可撓性表示画面を位置決めするプロセスを示す図である。
【図１３】図２の線ＸＩＩＩ−ＸＩＩＩに沿った断面図である。
【図１４】図１４Ａ〜図１４Ｅは、可撓性表示装置の位置決め機構が、本開示による支持ストラップの位置決めを解放するプロセスを示す図である。
【図１５】図１の線ＸＶ−ＸＶに沿った断面図である。
【発明を実施するための形態】
【０００８】
本開示の実施形態における技術的解決策は、本開示の実施形態における添付の図面と併せて、以下で明確かつ完全に説明される。明らかに、記載された実施形態は、全ての実施形態ではなく、本開示の実施形態の一部に過ぎない。本開示の実施形態に基づく創造的な作業なしに当業者によって得られる他の全ての実施形態は、本開示の保護範囲内にある。
【０００９】
本開示では、移動端末の例は、衛星またはセルラ電話と、セルラ無線電話とデータ処理、ファックス、データ通信の機能とを組み合わせることができるパーソナル通信システム（ＰＣＳ）端末と、無線電話、ページャ、インターネット／イントラネット・アクセス、ウェブブラウザ、ノートパッド、カレンダ、および／または全地球測位システム（ＧＰＳ）受信機を含むことができるＰＤＡと、従来のラップレシーバおよび／またはパームレシーバ、または無線電話トランシーバを含む他の電子機器と、を含むが、これらに限定されない。
【００１０】
本開示の一態様によれば、可撓性表示装置は、可撓性表示画面、回転軸、リセット機構および位置決め機構を含んでもよい。可撓性表示画面は、回転軸に巻き付けてもよい。リセット機構は、回転軸に接続され、回転軸を駆動して、可撓性表示画面を回転させて展開するように動作可能であってもよい。位置決め機構は、展開した可撓性表示画面を位置決めし、回転軸を駆動して、反対方向に回転させるように構成されてもよく、その結果、展開状態の可撓性表示画面を回転軸に巻き付ける。
【００１１】
一実施形態では、可撓性表示画面には、少なくとも１つの支持ストラップが設けられてもよく、上記少なくとも１つの支持ストラップは、可撓性表示画面を支持するように構成され、可撓性表示画面と一緒に回転軸上で巻き付けられるか、または展開され、位置決め機構は、上記少なくとも１つの支持ストラップを位置決めして、可撓性表示画面を展開状態にするように構成されている。
【００１２】
一実施形態では、支持ストラップのうちの上記少なくとも１つは、弾性材料からなり、回転軸に巻き付けられると、上記少なくとも１つの支持ストラップの断面は、平面形状になり、展開した後に、上記少なくとも１つの支持ストラップの断面は、円弧形状になる。
【００１３】
一実施形態によると、上記少なくとも１つの支持ストラップは、可撓性表示画面の端部の一方に配置されてもよく、上記少なくとも１つの支持ストラップは、可撓性表示画面の上記一方の端部に沿って延在している。
【００１４】
一実施形態によると、少なくとも１つの支持ストラップには、可撓性薄膜をスリーブ状に付けてもよく、この可撓性薄膜に可撓性表示画面が取り付けられる。
【００１５】
一実施形態によると、位置決め機構は、装着フレームと、装着フレームに回転可能に接続された回転ドラムと、回転ドラムと装着フレームとの間に接続された弾性部材と、回転ドラムから突出する複数のストッパとを備えることができ、上記少なくとも１つの支持ストラップには、ストッパのうちの１つに保持される固定骨位置が設けられ、展開した可撓性表示画面を位置決めする。
【００１６】
一実施形態では、装着フレームは、回転ドラムが配置される装着空間を画定することができ、回転軸から離れた回転ドラムの端部には、カムが設けられ、複数のストッパがカムから離れた回転ドラムの端部に配置されて、可撓性表示画面を引っ張って、展開し、固定骨位置は、複数のストッパの上をスキップしてカムを押し付け、その結果、回転ドラムが可撓性表示画面の展開方向に沿って移動し、その軸線に沿って回転し、弾性部材が弾性的に圧縮され、可撓性表示画面の引張力が解放されると、弾性部材が弾性的にリセットされて回転ドラムを駆動し、その結果、ストッパの１つが固定骨位置に保持される。
【００１７】
一実施形態によると、回転軸から離れて面するカムの端面には、回転ドラムの軸線に沿って前端ギアを設けてもよく、装着フレームには、前端ギアに対向する第一の配向ベベルを設けてもよく、前端ギアは複数の歯を備え、そのそれぞれには第一の配向ベベルに対応する案内面が設けられ、回転ドラムが第一の配向ベベルに向かって移動すると、前端ギアの対応する歯の案内面にスライド可能に押し付けて、回転ドラムを回転させる。
【００１８】
一実施形態によると、装着フレームは、回転ドラムの軸線に平行な装着空間の内面に案内スロットを画定することができ、回転ドラムは、案内スロット内にスライド可能に収容され、前端ギアに対向する案内スロットの端部には、第一の配向ベベルが配置される第一の突出ブロックが設けられ、第一の突出ブロックは、案内スロットに向かって突出する。
【００１９】
一実施形態によると、位置決め機構は、回転ドラムがスリーブ状に付けられた接続軸をさらに備えてもよく、接続軸の２つの端部は、装着フレームの装着空間の２つの端部に固定されている。
【００２０】
一実施形態では、弾性部材は、接続軸上にスリーブ状に付けられたバネであってもよい。
【００２１】
一実施形態では、ストッパは、回転ドラムの軸線に沿って環状に間隔を空けて配列することができる。
【００２２】
一実施形態によると、リセット機構は、回転軸リセット部材と位置決め部材とを備えてもよく、回転軸リセット部材は、位置決め部材と回転軸との間に接続されている。
【００２３】
一実施形態によると、位置決め部材に対向する回転軸の端部は、回転穴を画定してもよく、位置決め部材は、回転穴を通って延びる接続軸を備え、回転軸リセット部材は、回転穴内に収容され、回転軸と接続軸との間に接続される。
【００２４】
一実施形態によると、回転軸リセット部材は、ロールアップバネであってもよく、ロールアップバネの第一の端部は接続軸に接続され、ロールアップバネの第二の端部は回転軸に接続されている。
【００２５】
本開示の別の態様によれば、携帯型電子機器は、ハウジングと、ハウジング内に配置されたメインボードとを含むことができる。携帯型電子機器は、可撓性表示画面、回転軸、リセット機構および位置決め機構を備える可撓性表示装置をさらに含んでもよい。可撓性表示画面は、回転軸に巻き付けられてもよく、リセット機構は、回転軸に接続されてもよく、リセット機構は、回転軸を駆動して、可撓性表示画面を回転させて展開するように動作可能であってもよい。位置決め機構は、展開した可撓性表示画面を位置決めするように構成されてもよく、リセット機構は、さらに、回転軸を駆動して、反対方向に回転させるように動作可能であってもよく、その結果、展開状態の可撓性表示画面を回転軸に巻き付ける。可撓性表示装置は、ハウジング上に装着されてもよく、可撓性表示画面は、メインボードに電気的に接続されてもよい。
【００２６】
一実施形態では、ハウジングの側壁の１つは、帯状スロットを画定することができ、この帯状スロットは、可撓性表示装置の回転軸が収容されるハウジングの収納空間と連通しており、可撓性表示画面は、帯状スロットからハウジングを通って通過し、可撓性表示画面の端部には、回転軸から離れる方向に、ハウジングの外面に保持されることのできるストップバーが設けられている。
【００２７】
一実施形態によると、ハウジングの２つの対向する端部には、それぞれ位置決め手段が設けられており、回転軸の２つの対向する端部は、２つの位置決め手段に回転可能に接続されている。
【００２８】
一実施形態によると、位置決め手段の１つに位置決め機構を配置してもよく、位置決め手段の１つと回転軸との間にリセット機構を配置してもよい。
【００２９】
一実施形態によると、ハウジングには、メインボードに電気的に接続された主表示画面をさらに設けることができる。
【００３０】
本開示のさらに別の態様によれば、可撓性表示画面の駆動機構は、回転軸の２つの対向する開口部をシールするために、回転軸の２つの対向する端部に係合された第一および第二のキャップを備えた回転軸を含んでもよい。リセット装置は、回転軸を駆動して、可撓性表示画面を回転させて展開するように構成することができ、リセット装置は、接続軸およびロールアップバネを含むことができる。接続軸は、第一のキャップを通って延び、回転軸の一方の対応する端部に固定されるように構成され、ロールアップバネは、回転軸の一方の対応する端部に収容され、ロールアップバネの一方の端部は、接続軸の自由端に埋め込まれ、ロールアップバネの他方の端部は、回転軸に固定される。固定装置を第一のキャップ上に固定して、展開した可撓性表示画面を固定し、回転軸を駆動して、反対方向に回転させるように構成されてもよく、その結果、展開状態の可撓性表示画面を回転軸に巻き付ける。
【００３１】
図１〜図４を参照すると、図１は、本発明の一実施形態による携帯型電子機器の斜視図である。図２は、図１の携帯型電子機器を展開した可撓性表示画面の斜視図である。図３は、図２の携帯型電子機器の分解図である。図４は、図２の携帯型電子機器の別の視野角図である。本開示は、携帯型電子機器１００を提供する。携帯型電子機器１００は、ハウジング２０と、ハウジング２０内に配置されたメインボード４０と、ハウジング２０の前面に配置された主表示画面５０と、可撓性表示装置６０と、ハウジング２０内に配置されたバッテリ７０とを含んでもよい。可撓性表示装置６０は、可撓性表示画面６２、回転軸６４、リセット機構６５、および位置決め機構６７を含んでもよい。可撓性表示画面６２は、回転軸６４に巻き付けられてもよく、リセット機構６５は、回転軸６４に接続されてもよい。可撓性表示画面６２は、回転軸６４を駆動して、可撓性表示画面６２を回転させて展開するように引かれてもよい。位置決め機構６７は、展開した可撓性表示画面６２を位置決めするように構成される。リセット機構６５は、可撓性表示画面６２を回転軸６４に巻き付けることができるように、回転軸６４を逆に回転させるように駆動するように構成される。主表示画面５０および可撓性表示画面６２の両方は、メインボード４０に電気的に接続されている。バッテリ７０は、メインボード４０、主表示画面５０および可撓性表示画面６２に電力を供給する。
【００３２】
本実施形態では、携帯端末１００は移動電話である。ハウジング２０の正面とは、主表示画面５０の発光面を指す。ハウジング２０の背面とは、主表示画面５０から離れて面する面を指す。
【００３３】
本開示による携帯型電子機器１００の可撓性表示装置６０の可撓性表示画面６２は、回転軸６４に巻き付けられている。大型画面を使用する必要がある場合、可撓性表示画面６２を外側に引っ張って展開させ、位置決め機構６７は、展開した可撓性表示画面６２を位置決めして、ユーザが大型画面を使用しやすくする。大型画面を使用する必要がない場合、リセット機構６５は、回転軸６４を逆回転させて、その結果、可撓性表示画面６２を再び回転軸６４に巻き付けるようにし、これによって、可撓性表示画面６２がハウジング２０内に受け入れられ、より少ない空間を占有し、したがって、ユーザが容易に運ぶことができる。
【００３４】
他の実施形態では、リセット機構６５は、回転軸６４を駆動して、可撓性表示画面６２を回転させて展開するように動作可能である。例えば、リセット機構６５は、メインボード４０に電気的に接続された駆動モータである。メインボードは、リセット機構６５を制御することで、回転軸６４を駆動して、可撓性表示画面６２を回転させて展開するように構成されている。
【００３５】
他の実施形態では、リセット機構６５は、さらに、回転軸６４を駆動して、反対方向に回転させるように動作可能であり、その結果、展開状態の可撓性表示画面６２を回転軸６４に巻き付ける。
【００３６】
図３および図４に示すように、ハウジング２０は、エンクロージャ２２と、エンクロージャ２２の両端に配置された２つの位置決め手段２４とを含むことができる。エンクロージャ２２は、長方形のフレームであり、上壁２２１と、背面板２２３と、２つの対向する側壁２２５とを備える。上壁２２１、背面板２２３および２つの側壁２２５は、一緒に収納空間２２６を囲んでいる。メインボード４０、可撓性表示装置６０およびバッテリ７０のような電子部品は、収納空間２２６に受け入れられる。上壁２２１の外面は、主表示画面５０を装着するための装着スロット２２１２を画定し、装着スロット２２１２の中間部分は、収納空間２２６と連通している。上壁２２１の端部には、メインボード４０に電気的に接続された指紋認識装置２２７が設けられている。上壁２２１の反対側の端部には、メインボード４０に電気的に接続されたカメラ２２８が設けられている。エンクロージャ２２の２つの対向する端面は、それぞれ、収納空間２２６と連通する位置決め穴２２９を画定する。２つの位置決め手段２４は、２つの位置決め穴２２９にそれぞれ係合することができる。側壁２２５の１つの中間部分は、収納空間２２６と連通する帯状スロット２２５２を画定する。帯状スロット２２５２は、側壁２２５の長さの方向に沿って延在する。可撓性表示画面６２は、帯状スロット２２５２を通過し、エンクロージャ２２内に収容される。
【００３７】
位置決め手段２４のそれぞれは、対応する位置決め穴２２９内に収容されたブロック２４２と、エンクロージャ２２から離れて面するブロック２４２の側面に配置された位置決めシート２４４とを含む。位置決めシート２４４の円周がブロック２４２の外側に突出し、位置決めシート２４４の円周の突出部分がエンクロージャ２２の端面に接続されている。シリンダ２４６は、位置決めシート２４４から離れて面するブロック２４２の側面から突出する。２つの位置決め手段２４がエンクロージャ２２の２つの位置決め穴２２９にそれぞれ係合すると、２つのシリンダ２４６の中心線は同じ直線上にある。対応する位置決めシート２４４から離れて面する位置決め手段２４のうちの１つのブロック２４２の側面が、装着開口部２４７を画定する。複数の位置決めポスト２４７１は、装着開口部２４７の内面から突出する。シリンダ２４６と連通する貫通穴２４８が、シリンダ２４６の中心線に沿って位置決め手段２４内に画定される。位置決めシート２４４の外面には、貫通穴２４８の周囲に溝２４８２が設けられている。
【００３８】
ハウジング２０は、２つの位置決め手段２４の位置決めシート２４４の外面をそれぞれ覆う２つのカバープレート２５をさらに含む。
【００３９】
主表示画面５０は、ハウジング２０の装着スロット２２１２に係合されている。主表示画面５０の一端は、指紋認識器２２７に対応する指紋認識穴５２を画定し、主表示画面５０の他端は、カメラ２２８に対応する光入射穴５４を画定する。また、主表示画面５０には、光誘起穴、マイク穴、イヤホン穴等も、各種操作アイコンおよびキープレスアイコン等も設けられている。主表示画面５０は、タッチ画面であっても、あるいはタッチ画面でなくてもよい。本実施形態では、主表示画面５０はタッチ画面である。
【００４０】
可撓性表示画面６２の横方向側面には、ストップバー６２１が設けられている。すなわち、回転軸６４から離れた可撓性表示画面６２の側面には、ストップバー６２１が設けられており、このストップバーは、帯状スロット２２５２の周囲のハウジング２０の外面に保持することができる。ストップバー６２１から離れた可撓性表示画面６２の側面の２つの端部は、それぞれ複数の接続穴６２２を画定する。可撓性表示画面６２には、可撓性表示画面６２を支持するように構成された少なくとも１つの支持ストラップ６２４が設けられている。支持ストラップ６２４は、可撓性表示画面６２と一緒に回転軸６４上に巻き付けられるか、または展開される。位置決め機構６７は、支持ストラップ６２４を位置決めして、可撓性表示画面６２を展開状態にする。
【００４１】
本実施形態では、可撓性表示画面６２の背面の２つの対向する端部には、それぞれ１つの上記支持ストラップ６２４が設けられており、支持ストラップ６２４のそれぞれは、可撓性表示画面６２の対応する端部に沿って延在している。すなわち、支持ストラップ６２４は、可撓性表示画面６２の展開方向に延在している。回転軸６４から離れた２つの支持ストラップ６２４の端部は、それぞれストップバー６２１の２つの対向する端部に固定されている。具体的には、２つの支持ストラップ６２４に対向するストップバー６２１の側面の２つの端部は、それぞれ装着スロット６２１２を画定する。回転軸６４から離れた支持ストラップ６２４のそれぞれの端部は、対応する装着スロット６２１２内に収容され、押圧ブロック６２１４を介して装着スロット６２１２内に係合される。複数のネジがストップバー６２１、支持ストラップ６２４および押圧ブロック６２１４を通過して、支持ストラップ６２とストップバー６２１との間の接続をさらに確実なものにする。位置決め機構６７に隣接する側の支持ストラップ６２４には、ストップバー６２１から離れた端部に位置する固定骨位置６２４６が凸状に設けられている。
【００４２】
図５〜図７を参照する。図５は、本開示による携帯型電子機器の可撓性表示画面、支持ストラップ、および回転軸の組立図である。図６は、可撓性表示画面を有しない、図５の部分拡大図である。図７は、図６の支持ストラップに可撓性薄膜をスリーブ状に付けた後の斜視図である。支持ストラップ６２４のそれぞれは、弾性材料からなる。支持ストラップ６２４を回転軸６４に巻き付けられると、支持ストラップ６２４の断面は平面形状になり、支持ストラップ６２４を展開すると、その断面は円弧形状になる。複数の接続穴６２４２は、ストップバー６２１から離れた各支持ストラップ６２４の端部上に設けられる。この実施形態では、展開した後に、支持ストラップ６２４のそれぞれの断面の円弧開口部は、支持ストラップ６２４が支持することのできる可撓性表示画面６２の方に向けられる。
【００４３】
支持ストラップ６２４のそれぞれは、可撓性薄膜６２６で覆われている。可撓性薄膜６２６は、支持ストラップ６２４の円弧外面に取り付けられた薄膜帯６２６１と、薄膜帯６２６１の２つの対向する側から支持ストラップ６２４の中間部分に向かって延在する２つの延在薄膜帯６２６３とを含む。薄膜帯６２６１および支持ストラップ６２４の円弧外面は、接着剤によって固定される。可撓性表示画面６２は、可撓性薄膜６２６に取り付けられる。具体的には、２つの延在薄膜帯６２６３は、背面接着剤によって、可撓性表示画面６２の背面に接続される。
【００４４】
図３、図４および図８に示すように、図８は図３のＶＩＩＩの拡大図である。回転軸６４の２つの対向する端面は、それぞれ軸方向に回転穴６４２を画定し、回転軸６４の円周面の２つの対向する端部は、それぞれ２つの離間した固定穴６４４を画定する。回転軸６４の円周面の端部の一方は、２つの固定穴６４４の間の位置決めスロット６４６を画定し、位置決めスロット６４６は、回転軸６４の円周面に沿って延在する。回転軸６４には、位置決めブロック６４６２が位置決めスロット６４６の内面に凸状に設けられ、位置決めブロック６４６２は、対応する２つの固定穴６４４の間に位置する。位置決めブロック６４６２から離れた位置決めスロット６４６の内面の端部は、対応する回転穴６４２と連通する貫通穴６４６４を画定する。
【００４５】
リセット機構６５は、回転軸リセット部材６５１と位置決め部材６５３とを備える。回転軸リセット部材６５１は、位置決め部材６５３と回転軸６４との間に接続されている。回転軸リセット部材６５１は、回転軸６４を駆動して、逆回転させるように構成され、その結果、可撓性表示画面６２を回転軸６４に巻き付けるようにする。本実施形態では、回転軸リセット部材６５１は、第一の端部６５１２と第二の端部６５１４とを含むロールアップバネである。第一の端部６５１２は、ロールアップバネの内側に位置し、第二の端部６５１４は、ロールアップバネの外側に位置する。第一の端部６５１２は、位置決めプレートであり、第二の端部６５１４は、位置決めブロック６４６２に対応する位置決め穴６５１６を画定する。
【００４６】
位置決め部材６５３は、接続軸６５３１と、接続軸６５３１の端部に凸状に設けられた装着プレート６５３３と、接続プレート６５３５とを備える。接続軸６５３１は、貫通穴２４８を介して回転軸６４の対応する回転穴６４２に挿入することができる。装着プレート６５３３は、対応する位置決め手段２４の溝２４８２に固定され得る。装着プレート６５３３から離れる接続軸６５３１の端面には、凹部６５３６および複数の接続穴６５３７が設けられる。接続プレート６５３５は、複数の接続穴６５３７に対応する複数の貫通穴６５３８を画定する。
【００４７】
図９〜図１１を参照すると、図９は、本開示による可撓性表示装置の位置決め機構の斜視図である。図１０は、図９の分解図であり、図１１は、図１０の別の視野角の構造図である。位置決め機構６７は、装着フレーム６７２と、装着フレーム６７２に回転可能に接続された回転ドラム６７４と、回転ドラム６７４の端部に位置する弾性部材６７６と、接続軸６７８とを含む。回転ドラム６７４には、互いに離間した複数のストッパ６７４２が凸状に設けられており、支持ストラップ６２４の固定骨位置６２４６は、ストッパ６７４１間の間隔を通過することができ、ストッパ６７４２の１つに保持されて、展開した可撓性表示画面６２を位置決めする。回転ドラム６７４は、接続軸６７８を介して装着フレーム６７２に接続され、弾性部材６７６は、装着フレーム６７２と回転ドラム６７４との間に配置される。
【００４８】
装着フレーム６７２は、位置決め手段２４の装着開口部２４７内に収容することができ、装着フレーム６７２の中間部分は、可撓性表示画面６２の展開方向に沿って延在する装着空間６７２１を画定する。回転ドラム６７４は、装着空間６７２１内に配置される。回転ドラム６７４の軸線に平行な装着空間６７２１の中央面は、回転ドラム６７４がスライド可能に収容される案内スロット６７２２を画定する。案内スロット６７２２の端部には、第一の突出ブロック６７２４が凸状に設けられており、すなわち、第一の突出ブロック６７２４は、案内スロット６７２２に向かって突出している。回転ドラム６７４に対向する第一の突出ブロック６７２４の側部には、第一の配向ベベル６７２５が設けられる。案内スロット６７２２の他端には、第二の突出ブロック６７２６が凸状に設けられ、すなわち、第二の突出ブロック６７２６は、案内スロット６７２２の方へ突出し、回転ドラム６７４に対向する第二の突出ブロック６７２６の側部には、第二の配向ベベル６７２７が設けられる。装着フレーム６７２は、装着空間６７２１の２つの対向端部上の一対の軸穴６７２８を画定する。一対の軸穴６７２８の軸線は、回転ドラム６７４が装着フレーム６７２の装着空間６７２１内に取り付けられたときに、回転ドラム６７４の軸線と一致する。複数のクランプ穴６７２９は、装着フレーム６７２の円周上に画定される。
【００４９】
回転軸６４から離れた回転ドラム６７４の端部には、カム６７４３が設けられてもよく、複数のストッパ６７４２が、カム６７４３から離れた回転ドラム６７４の端部の円周面上に位置してもよい。ストッパ６７４２から離れて面するカム６７４３の端面には、回転ドラム６７４の軸線に沿って前端ギア６７４４が設けられる。前端ギア６７４４は複数の歯６７４５を含み、そのそれぞれ第一の配向ベベル６７２５に対応する案内面６７４６を備える。回転ドラム６７４が回転軸６４から離れるように移動するとき、すなわち、回転ドラム６７４が第一の突出ブロック６７２４に向かって移動するとき、第一の配向ベベル６７２５は、前端ギア６７４４の対応する歯６７４５の案内面６７４６に対してスライド可能に押し付けて、回転ドラム６７４を回転させる。カム６７４３から離れて対向する回転ドラム６７４の端面には、後端ギア６７４７が設けられ、すなわち、回転軸６４に対向する回転ドラム６７４の端面には、複数の歯６７４８を含む後端ギア６７４７が設けられ、歯６７４８のそれぞれには、第二の配向ベベル６７２７に対応する案内面６７４９が設けられている。回転ドラム６７４が回転軸６４から離れるように移動するとき、すなわち、弾性部材６７６が弾性的にリセットされて回転ドラム６７４を駆動して回転軸６４に向かって移動するとき、第二の配向ベベル６７２７は、後端ギア６７４７の対応する案内面６７４９に対してスライド可能に押し付けて、回転ドラム６７４を回転させる。
【００５０】
弾性部材６７６は、回転ドラム６７４のカム６７４３と装着フレーム６７２との間に配置される。回転ドラム６７４は、接続軸６７８上で回転可能かつスライド可能にスリーブ状に付けられる。接続軸６７８の両端部は、装着フレーム６７２の装着空間６７２１の両端部に固定されている。すなわち、接続軸６７８の両端部は、装着フレーム６７２の一対の軸穴６７２８内に固定されている。
【００５１】
本実施形態では、複数のストッパ６７４２が、回転ドラム６７４の軸線に沿って環状に間隔を空けて配列され、弾性部材６７６はバネであり、バネは、接続軸６７８上にスリーブ状に付けられ、カム６７４３の前端に位置する。
【００５２】
位置決め機構６７が組み立てられると、回転ドラム６７４が接続軸６７８上にスリーブ状に付けられ、弾性部材６７６は接続軸６７８上にスリーブ状に付けられ、カム６７４３が設けられた回転ドラム６７４の端部に押し付けられる。次いで、回転ドラム６７４、弾性部材６７６および接続軸６７８は、装着空間６７２１内に収容され、回転ドラム６７４は、案内スロット６７２２内に位置する。続いて、接続軸６７８の両端部は、装着フレーム６７２の一対の軸穴６７２８の内部にそれぞれ固定される。このとき、回転ドラム６７４の前端ギア６７４４は、第一の突出ブロック６７２４に対応し、後端ギア６７４７は、第二の突出ブロック６７２６に対応する。回転ドラム６７４は、接続軸６７８に沿ってスライドし、回転することができる。
【００５３】
携帯型電子機器１００が組み立てられると、メインボード４０およびバッテリ７０がハウジング２０内に装着される。位置決め機構６７は、対応する位置決め手段２４の装着開口部２４７内に収容され、複数の位置決めポスト２４７１が装着フレーム６７２の対応するクランプ穴６７２９にそれぞれ係合され、その結果、位置決め機構６７が位置決め手段２４上に固定されるようになる。位置決め部材６５３の接続軸６５３１は、位置決め手段２４の貫通穴２４８を通過するように構成され、その結果、装着プレート６５３３が溝２４８２内に収容されるようになる。回転軸リセット部材６５１の第一の端部６５１２は、接続軸６５３１の凹部６５３６内に係合され、接続プレート６５３５は、接続軸６５３１の端部に取り付けられ、対応する接続穴６５３７内に係止される２つのネジをそれぞれ貫通して、接続プレート６５３５の貫通穴６５３８を貫通し、その結果、回転軸リセット部材６５１が接続軸６５３１上でスリーブ状になる。回転軸６４は、ハウジング２０の内部空間内に配置され、２つの位置決め手段２４は、エンクロージャ２２の２つの位置決め開口部２２９にそれぞれ挿入され、その結果、２つのシリンダ２４６がそれぞれ回転軸６４の回転穴６４２に挿入されるようになる。位置決め部材６５３の接続軸６５３１は、位置決めスロット６４６を画定する回転軸６４の端部上の回転穴６４２に挿入され、その結果、回転軸リセット部材６５１の第二の端部６５１４が、位置決めスロット６４６内に受け入れられる貫通穴６４６４を通過し、位置決めブロック６４６２が、回転軸リセット部材６５１の位置決め穴６５１６内に係合する。このとき、回転軸リセット部材６５１は、位置決め部材６５３と回転軸６４との間に接続されている。接続穴６２４２から離れた２つの支持ストラップ６２４の端部は、それぞれストップバー６２１の２つの対向する端部に固定され、２つの支持ストラップ６２４は、可撓性表示画面６２の底面の２つの対向端部に取り付けられ、その結果、各支持ストラップ６２４上の接続穴６２４２が、可撓性表示画面６２上の接続穴６２２に対応するようになる。ストップバー６２１から離れた可撓性表示画面６２の側部は、可撓性表示画面６２が回転軸６４上に配置され、それを覆うまで、エンクロージャ２２の外側から帯状スロット２２５２内に挿入される。複数のネジは、それぞれ回転軸６４の対応する固定穴６４４にネジ止めされる可撓性表示画面６２の接続穴６２２を通過し、その結果、可撓性表示画面６２が回転軸６４に接続され、可撓性表示画面６２が、回転軸リセット部材６５１の第二の端部６５１４を押圧して覆う。回転軸６４を回転させ、可撓性表示画面６２を回転軸６４に巻き付け、リセット機構６５を回転軸６４とともに回転させる。位置決め部材６５３は、複数のネジによって位置決め手段２４上に固定されている。このとき、可撓性表示画面６２が回転軸６４に巻き付けられ、回転軸６４は、２つのシリンダ２４６に沿って回転することができ、ストップバー６２１がエンクロージャ２２の帯状スロット２２５２の外面に保持される。次いで、主表示画面５０は、エンクロージャ２２の装着スロット２２１２内に装着され、こうして、主表示画面５０、可撓性表示画面６２およびバッテリ７０などの電子部品は、メインボード４０に電気的に接続されるようになる。
【００５４】
図１２Ａ〜図１２Ｆを参照する。図１２Ａ〜図１２Ｆは、可撓性表示装置の位置決め機構が、本開示による支持ストラップを位置決めするプロセスを示す図である。可撓性表示画面６２を展開する必要があるとき、ストップバー６２１を外側に引っ張って、可撓性表示画面６２を回転軸６４から外して、回転軸６４を駆動し、回転軸リセット部材６５１が弾性変形するようにする。支持ストラップ６２４上の固定骨位置６２４６は、複数のストッパ６７４２の間の間隔にわたってスキップして、カム６７４３を押し付け、その結果、回転ドラム６７４は、可撓性表示画面６２の展開方向に沿って弾性部材６７６に向かってスライドする。弾性部材６７６は、回転ドラム６７４によって押されて弾性変形を受ける。回転ドラム６７４の前端ギア６７４４の歯６７４５のうちの１つの案内面６７４６は、第一の突出ブロック６７２４の第一の配向ベベル６７２５にスライド可能に押し付けられ、その結果、回転ドラム６７４が接続軸６７８に沿って回転するようになる。この実施形態では、第一の配向ベベル６７２５は、回転ドラム６７４が反時計回りに２２．５°回転するように、案内面６７４６をスライド可能に押し付ける。ストップバー６２１の外側への引張力が解放されると、固定骨位置６２４６はカム６７４３を押し付けることはなく、回転軸リセット部材６５１は、部分的に弾性的にリセットされ、回転ドラム６７４を駆動して逆回転させ、可撓性表示画面６２は、エンクロージャ２２に向かって後退し、固定骨位置６２４６を駆動して、回転軸６４に向かって移動する。一方、弾性部材６７６は弾性的にリセットされ、回転ドラム６７４を押し付けて後方にスライドし、回転ドラム６７４の後端ギア６７４７の歯６７４８のうちの１つの案内面６７４９は、第二の突出ブロック６７２６の第二の配向ベベル６７２７にスライド可能に押し付けられ、その結果、回転ドラム６７４が接続軸６７８に沿って回転するようになる。この実施形態では、第二の配向ベベル６７２７は、回転ドラム６７４が反時計回りに２２．５°回転するように、回転ドラム６７４上のストッパ６７４２のうちの１つが固定骨位置６２４６に向かって直接配向され、固定骨位置６２４６が上記１つのストッパ６７４２上に保持されるまで、案内面６７４９をスライド可能に押し付ける。
【００５５】
図１３に示すように、電子機器１００の可撓性表示画面６２は、展開状態にある。すなわち、固定用骨位置６２４６は、可撓性表示画面６２が回転軸６４に巻き付けられるのを防止するために、ストッパ６７４２のうちの１つに保持され、その結果、位置決め機構６７が可撓性表示画面６２を展開状態に位置決めし、こうして、ユーザが大型画面を使用しやすくなる。
【００５６】
本実施形態では、回転ドラム６７４を２度回転させる必要がある後、すなわち、回転ドラム６７４を反時計回りに４５°回転させた後、回転ドラム６７４のストッパ６７４２のうちの１つを固定骨位置６２４６に保持する。
【００５７】
他の実施形態では、回転ドラム６７４には、前端ギア６７４４のみが設けられてもよい。前端ギア６７４４は、それぞれが案内面を備える複数の歯を含む。装着フレーム６７２には、前端ギア６７４４に対応する第一の突出ブロックのみが設けられる。第一の突出ブロックには、各歯の案内面に対応する第一の配向ベベルが設けられている。可撓性表示画面６２が外向きに展開され、固定骨位置６２４６を駆動して回転ドラム６７４を押し付けてスライドさせると、歯のうちの１つの案内面が第一の配向ベベルにスライド可能に押し付けられて、回転ドラム６７４上のストッパ６７４２のうちの１つが固定骨位置６２４６に直接配向されるまで、回転ドラム６７４を回転させる。可撓性表示画面６２の外向きの引張力が解放されると、弾性部材６７６は、弾性的にリセットされて、回転ドラム６７４を押し付けて後退する。回転軸リセット部材６５１は、可撓性表示画面６２を駆動して、回転軸６４に向かって移動し、その結果、固定骨位置６２４６は、ストッパ６７４２のうちの１つに保持されるようになる。すなわち、回転ドラム６７４が１度回転する限り、ストッパ６７４２のうちの１つを固定骨位置６２４６に保持することができる。
【００５８】
他の実施形態では、回転ドラム６７４には、後端ギア６７４７のみが設けられてもよく、すなわち、カム６７４３には、前端ギア６７４３が設けられなくてもよい。後端ギア６７４７は、それぞれが案内面を備える複数の歯を含む。また、装着フレーム６７２には、後端ギア６７４７に対応する第二の突出ブロックのみを設けてもよい。第二の突出ブロックには、各歯の案内面に対応する第二の配向ベベルが設けられている。可撓性表示画面６２を外向きに展開して、固定骨位置６２４６を駆動し、回転ドラム６７４を押し付けてスライドさせると、弾性部材６７６は弾性変形し、次いで、ストップバー６２１の外向きへの引張力が解放される。固定骨位置６２４６はカム６７４３を押し付けることはなく、回転軸リセット部材６５１は部分的に弾性的にリセットされて、回転ドラム６７４を駆動して逆回転させ、こうして、可撓性表示画面６２は、エンクロージャ２２に向かって後退し、固定骨位置６２４６を駆動して、回転軸６４に向かって移動する。一方、弾性部材６７６は、弾性的にリセットされ、回転ドラム６７４を押し付けて後方にスライドし、回転ドラム６７４の後端ギア６７４７の歯のうちの１つのスライド案内面は、第二の突出ブロックの第二の配向ベベルにスライド可能に押し付けられ、その結果、回転ドラム６７４は、固定骨位置６２４６がストッパ６７４２のうちの１つに保持されるまで、接続軸６７８に沿って回転するようになる。すなわち、回転ドラム６７４が１度回転する限り、ストッパ６７４２のうちの１つを固定骨位置６２４６に保持することができる。
【００５９】
他の実施形態では、回転ドラム６７４は、時計回りに回転するように構成することもできる。
【００６０】
他の実施形態では、回転ドラム６７４は、任意の角度、例えば、反時計回りまたは時計回りに１０°、２０°、または３０°回転するように構成することもでき、回転ドラム６７４上のストッパ６７４２のうちの１つを固定骨位置６２４６に保持することもできる。
【００６１】
図１４Ａ〜図１４Ｅを参照する。図１４Ａ〜図１４Ｅは、可撓性表示装置の位置決め機構が、本開示による支持ストラップの位置決めを解放するプロセスを示す図である。可撓性表示画面６２を収容する必要があるとき、ストップバー６２１を外側に引っ張り、可撓性表示画面６２を外側に移動させて、固定骨位置６２４６を駆動して、カム６７４３に押し付けるようにし、こうして、回転ドラム６７４は、可撓性表示画面６２の展開方向に沿って弾性部材６７６に向かってスライドし、弾性部材６７６は、回転ドラム６７４によって押し出されて弾性変形を受ける。回転ドラム６７４の前端ギア６７４４の歯６７４５のうちの１つの案内面６７４６は、第一の突出ブロック６７２４の第一の配向ベベル６７２５にスライド可能に押し付けられ、その結果、回転ドラム６７４が接続軸６７８に沿って回転するようになる。この実施形態では、第一の配向ベベル６７２５は、回転ドラム６７４が反時計回りに２２．５°回転するように、案内面６７４６をスライド可能に押し付ける。ストップバー６２１の外側への引張力が解放されると、固定骨位置６２４６はカム６７４３を押し付ける。回転軸リセット部材６５１は、弾性的にリセットされて、回転ドラム６７４を駆動して逆回転させ、可撓性表示画面６２は、エンクロージャ２２に向かって後退し、固定骨位置６２４６を駆動して、回転軸６４に向かって移動する。一方、弾性部材６７６は弾性的にリセットされ、回転ドラム６７４を押し付けて後方にスライドする。回転ドラム６７４の前端ギア６７４４の歯６７４５のうちの１つの案内面６７４９は、第二の突出ブロック６７２６の第二の配向ベベル６７２７にスライド可能に押し付けられ、その結果、回転ドラム６７４が接続軸に沿って回転するようになる。この実施形態では、第二の配向ベベル６７２７は、回転ドラム６７４が反時計回りに２２．５°回転するように、固定骨位置６２４６に保持される回転ドラム６７４のストッパ６７４２が固定骨位置６２４６から離れるまで、案内面６７４９をスライド可能に押し付ける。このとき、固定骨位置６２４６は、ストッパ６７４２の間隔に直接向いている。回転軸リセット部材６５１は、可撓性表示画面６２を駆動して、回転軸６４に向かって移動し、その結果、可撓性表示画面６２は、ストップバー６２１が側壁２２５の外面に保持されるまで、再び回転軸６４に巻き付けられる。
【００６２】
図１５に示すように、電子機器１００の可撓性表示画面６２は、エンクロージャ２２内に収容されるので、その結果、携帯型電子機器１００は、サイズが小さく、持ち運びに便利である。
【００６３】
以上が本開示の実施形態である。なお、当業者であれば、本実施の形態の原理から逸脱しないことを前提に、何らかの改良、修正を行うことができ、これらの改良、修正も本開示の保護範囲に含まれるものとする。
【図１】
2021525400.tif 000003
【図２】
2021525400.tif 000004
【図３】
2021525400.tif 000005
【図４】
2021525400.tif 000006
【図５】
2021525400.tif 000007
【図６】
2021525400.tif 000008
【図７】
2021525400.tif 000009
【図８】
2021525400.tif 000010
【図９】
2021525400.tif 000011
【図１０】
2021525400.tif 000012
【図１１】
2021525400.tif 000013
【図１２Ａ】
2021525400.tif 000014
【図１２Ｂ】
2021525400.tif 000015
【図１２Ｃ】
2021525400.tif 000016
【図１２Ｄ】
2021525400.tif 000017
【図１２Ｅ】
2021525400.tif 000018
【図１２Ｆ】
2021525400.tif 000019
【図１３】
2021525400.tif 000020
【図１４Ａ】
2021525400.tif 000021
【図１４Ｂ】
2021525400.tif 000022
【図１４Ｃ】
2021525400.tif 000023
【図１４Ｄ】
2021525400.tif 000024
【図１４Ｅ】
2021525400.tif 000025
【図１５】
2021525400.tif 000026
【国際調査報告】
2021525400.tif 000027
2021525400.tif 000028